(57)【要約】【課題】収納計画により嵌め込金具を壁面構造体に設置することで、耐荷重性も大きく、且つ、レイアウト変更が自由に行え、インテリア性、意匠性にも優れており、なお、家具背面の係止掛部材に可動式滑車を設け、左右への移動が容易になり、収納する「モノ」に合わせて収納を変化できる壁掛け収納家具システムを実現することを課題とする。【解決手段】壁面に沿って固定設置された係止嵌め込部材と、家具背面に設けられた係止掛部材による係止手段が設けられており、壁面構造体に係止し、且つ着脱自在に設置でき、前記の係止手段において、壁面構造体に沿って水平方向に設けられ、且つ壁面構造体に対して上方より３０度から６０度の角度に傾斜させ、掘り込ませて設けられた係止嵌め込部材と、家具背面に設けられ、該係止嵌め込部材に係合するように突起する係止掛部材とからなる構造としたものであり、なお、可動式滑車を設けることにより、家具自体の左右移動が容易に行える。【選択図】図２
2005323635.tif 000002
【特許請求の範囲】
【請求項１】
壁面構造体に沿って水平方向に固定設置された係止部が上方への傾斜を有する係止嵌め込部材と、家具背面に設けられた係止部が下方への屈出を有する係止掛部材による係止手段が設けられており、内装壁面に係止し、且つ着脱自在に設置されることを特徴とする壁掛け収納家具システム。
【請求項２】
前記の係止手段は、壁面構造体に沿って水平に設けられ、且つ壁面構造体に対して嵌め込部の係止角度を上方より３０度から６０度の角度に傾斜させ設けられた係止嵌め込部材と、家具背面に設けられ、該係止嵌め込部材に係合するように下方より３０度から６０度に突起させた係止掛部材とからなることを特徴とする請求項1に記載の壁掛け収納家具システム。
【請求項３】
前記の係止嵌め込部材は、内装壁面に埋め込んで設置することを特徴とする請求項２に記載の壁掛け収納家具システム。
【請求項４】
前記の壁面構造体に沿って固定設置された係止嵌め込部材と家具背面に設置された係止
掛部材が角度調整された嵌め込型アングル材及び突起型アングル材であることを特徴とする請求項２に記載の壁掛け収納家具システム。
【請求項５】
前記の係止手段において、該家具の上下動及び横揺れを防止するための支持手段が設けられており、該支持手段は、家具の底部に固定された支持部材と、該支持部材を壁面構造体に沿ってほぼ水平方向にスライド自在に支持するスライドガイド部材とからなることを特徴とする請求項１から３に記載の壁掛け収納家具システム。
【請求項６】
前記の壁面構造体に沿って水平方向に固定設置された係止嵌め込部材と、家具背面に係合できる係止掛部材の係合部分に可動式滑車を設けることにより、内装壁面に沿って家具の移動ができることを特徴とする請求項１から４に記載の壁掛け収納家具システム。
【発明の詳細な説明】
【技術分野】
【０００１】
本発明は、壁に掛けて使用するアレンジ性に優れた収納家具に関して、特に着脱組立、移動が容易で組合せ自在に構成でき、収納する「モノ」に合わせて収納を変化できる壁掛け収納家具に関する。
【背景技術】
【０００２】
従来の室内収納家具の設置においては、壁面構造体に沿って設置されるもの、部屋内を仕切るように設置されたもの、壁面構造体に直接取り付けるもの、壁面構造体内に組込んで設置されるものなどがある。
【０００３】
壁面構造体に直接取り付ける壁面取付家具は、主に小型の装飾用食器棚や本棚などの棚類など小物入れ用あるいは、装飾用などの日用品類などを収納するためのものがある。（例えば、特許文献１参照）
【０００４】
これらの壁面取付家具は、据え置き式のものとは異なり、床面を占有することがないため、部屋が広く感じる、設置場所を自由に設置できる、小物の整理に便利である、部屋の清掃がしやすいなどの利点がある。
【特許文献１】特開平２００１−２７２１５４  公報
【発明の開示】
【発明が解決しようとする課題】
【０００５】
このような、従来の壁面取付家具においては、家具に直接金具などを設けて、木ネジやビスなどで壁面構造体に固定するもの、鎖やワイヤーや紐などの吊具で家具を壁面構造体から吊るして取り付けるものや、壁面構造体にフックを設けて、そのフックに引っ掛けて取り付けるもの、逆Ｌ字形の支持金具の上部に載置固定するものなどがある。
【０００６】
近年、豊かになった生活の中で物があふれ、その収納家具が注目されている。これらの収納家具は、インテリア性、意匠性も求められており、部屋の模様替えと同じように、収納家具も好みに応じて位置を変更したり、取り替えられたりすることが要求される。
【０００７】
上記の金具により壁面構造体に固定するものや逆Ｌ字形の支持金具を用いるものは、強固にネジで壁面構造体に固定されるため、取り付け・取り外しが面倒であり、容易に位置変更はできない。
【０００８】
また、吊具を用いたものは、この吊具を引っ掛けるフックなどの位置を変えることで簡単に位置を変更することができるが、吊具が金具の上部に絶えず見えているため、複数の家具を設置する場合などでは見苦しくなり、家具上部スペースの使用が制限されることとなる。
【０００９】
また、壁面に設けたフックに直接引っ掛けるものは、容易に取り付け・取り外しができるが、フックに力が集中するため、荷重制限があり、軽量のものしか収納できず、フックを多数取り付けたのでは、意匠性を損ない、また、設置場所を変更する場合にフックの取り付け・取り外しが面倒である。
【００１０】
上記のような問題点に鑑みてなされたものであり、収納計画により嵌め込金具を壁面構造体に設置することで、耐荷重性も大きく、且つ、家具のレイアウト変更が自由に行え、インテリア性、意匠性にも優れ、収納する「モノ」に合わせて収納を変化でき、なお、可動式滑車を設けることにより、家具自体の左右への移動が容易に行える壁掛け収納家具システムを実現することを目的とする。
【課題を解決するための手段】
【００１１】
本発明は、前記に示す課題を解決するための係止手段として、壁面構造体に沿って水平方向に固定設置され、家具を係止できる鉤状などの嵌め込部材と、家具背面に設けられる前記の係止嵌め込部に係合し、係止掛けできる係止掛部材が設けられたものであり、前記の係止嵌め込部に前記の家具背面に設けられる係止掛部が係合して係止できる組合わせ構造のものであればいずれでも良く、且つ容易に家具の着脱や組立、組替自在に設置される壁掛け収納家具システムである。
【００１２】
前記の係止手段において、係止嵌め込部材は、壁面構造体に沿って水平に設けられ、且つ壁面構造体から上方に傾斜して係止するアングル材であり、傾斜角度は、上方より３０度から６０度程度となるように設けると良い。３０度以下では、係合する家具背面の係止掛部の加工が困難であり、強度的に弱くなる。また、６０度以上では、係止困難であり、外れる危険があり好ましくない。好ましくは、４０度から５０度程度であり、係止しやすく、安全に取り付けられ着脱がしやすく、該係止嵌め込部材に係合するように下方より３０度から６０度に突起させた係止掛部材とからなる構造としたものである。
【００１３】
前記の係止嵌め込部材を内装壁面に埋め込んで設置することで、係止嵌め込部材の露出度をおさえることができ、外観的に内装壁面の仕上がりを良くすることができる。なお、内装壁面の板厚は、形状及び材質によって異なる。
【００１４】
前記の係止嵌め込部材や係止掛部材は角度の調整されたアングル材としたものである。該材質は、係止する収納家具の荷重によるが、通常に使用される鉄製、ステンレス鋼製やアルミ製などの金属製の他に、金属製鋼材や樹皮製板材なども使用でき、軽量家具であれば、硬質プラスチック製などを使用することができる。係止掛部を補強し強度を高めるために、縦板背面を端から端まで覆うように金属製金具を形成して設けても良い。
【００１５】
前記の家具の底部の支持手段としては、家具の底部に固定されたスライドガイド部材を設置し、壁面構造体に固定する。スライドガイド部材は、水平方向にスライド自在に支持されたものであればいずれでも良い。例えば、家具の底部に図２（３）のような支持部材を取り付け、該支持部材が水平方向にスライドできるガイドレールを壁面構造体に取り付けたものとする。
【００１６】
前期の壁面構造体に沿って水平方向に固定設置された係止嵌め込部材と、家具背面に係合できる係止掛部材のレール金具部分に可動式滑車を設けたことにより、家具その物の左右移動が容易に行なえる壁掛け収納家具システムである。
【発明の効果】
【００１７】
以上、詳細に説明した本発明では、以下に示すような効果がある。内装壁面内に設けた嵌め込型係止嵌め込部材と、家具背面の突起型係止掛部材とによる係止手段により、家具の掛け外しが非常に簡単にでき、位置調整を自由に行うことができる。
【００１８】
内装壁面内に係止嵌め込部材を設けた係止手段により、係止嵌め込部の金具の露出度をおさえることができ、外観上の見栄え仕上りも良い。
【００１９】
係止嵌め込部材と係止掛部材が家具全体を支える構造であるため、フックなどによる吊具に比較して耐荷重性が高くなり、一般的な収納を壁掛け収納家具システムとして使用できる。
【００２０】
家具の上下動防止のための支持手段が設けられており、それはスライド自在であり、地震などによる上下動を確実に防止することができると共に、取り付けや取り外しが非常に簡単で位置調整移動もしやすくなる。
【００２１】
係止掛部材の係合部分に可動式の滑車を設けることにより、家具自体の左右への移動が、容易に行なえる。
【００２２】
このように、本発明によれば、係止嵌め込部の壁面構造体への取り付けにより耐荷重性も大きく、係止掛部の家具はインテリア性、意匠性にも優れ、家具自体の左右への移動が容易な壁掛け収納家具システムを実現できる。
【発明を実施するための最良の形態】
【００２３】
以下に、本発明による実施の形態図面を用いて説明する。図１は、本発明による壁掛け収納家具システムの一実施例を示す正面図であり、図２は、その傾視図である。
【００２４】
本実施例は、衣類や小物（本・雑誌・食器・家電製品など）を収納するための整理収納家具を壁掛け収納家具システムとした例である。
【００２５】
この壁掛け収納家具１は、縦仕切板２で４区画に仕切られ、左右両端の区画３、６は衣類を掛けるハンガー掛けスペース８となっており、中央の２区画４、５が小物を収納するボックスと引き出しになっている。中央の２区画４、５の上部側は、前面開放となったボックス収納部４a、５aであり、下部側は、引き出し収納部４ｂ、５ｂとなっている。図１（２）は、係止嵌め込部材１２と縦仕切板２との係止部分の拡大図である。
【００２６】
この壁掛け収納家具１は、図２（２）で示すように、家具背面に突起型アングル材１１が設けられており、壁面構造体１０に水平方向に延設され、角度が調整された嵌め込型アングル材１２に係合するように、引っ掛けて取り付けられる。
【００２７】
該アングル材の角度は上方より嵌め込型４０度、突起型１４０度に加工されたものであり、板厚３〜１０ｍｍ、係合部１２ａの幅が１０〜３０ｍｍ、アングル材の長さは、壁掛け収納家具１全体の幅と同じ２，４００ｍｍとした。また、壁仕上げの種類によって、金具の奥行きを変えることがある。
【００２８】
この嵌め込型アングル材１２を係合部１２ａが壁面構造体１０に対して上方から４０度となるように、収納する側の壁面構造体１０に水平にビス止した。
【００２９】
該収納家具１の背面の掛部材１１が、前記の嵌め込型アングル材１２の係合部１２ａに嵌め込まれるように、１４０度傾斜した突起部１１a を施したものである。また、上記の嵌め込型アングル材１２の係合部全体が嵌め込まれる金属製金具の係止掛部材を図５（２）の２３のように縦板背面に取り付けたものでも良い。
【００３０】
このように、嵌め込型アングル材１２による係止嵌め込部材と、家具背面に設けられた係止掛部材１１との係合により簡単に家具を取り付け・取り外しが行える。しかも掛けるだけで十分な荷重に耐えることができる。また、取り付け部分は家具背面であるため、家具の上部や下部に吊具や固定部材が露出せず、外観上もすっきり見栄えがよい。
【００３１】
また、本壁掛け収納家具システムには、該収納家具１が地震などにより上下動し、係止部分が外れてしまうことを防止するための支持手段が設けられている。図２（３）に示すように、家具底部にリブ金具１３とナット１４がボルト１５でネジ止めされている。さらに該ナット１４が水平方向にスライドできるようにガイドレール１６が設けられている。
【００３２】
これにより、上下動を防止できると同時に、水平方向にスライド自在であるため、家具の取り付けの際に、水平方向の位置調整が容易に行える。すなわち、係止嵌め込部材である嵌め込型アングル材１２に該収納家具１を掛け、位置を微調整し、家具底部のリブ金具１３にスライドガイド内に設けられた支持部材であるナット１４をボルト１５で止めることで簡単に取り付け完了となる。
【００３３】
取り外しもいたって容易に行うことができ、家具底部のボルト１５を外し、家具本体１を若干持ち上げることにより、前記の嵌め込型アングル材１２より外すことで取り外しが完了する。
【００３４】
また、本実施例では、図３（１）に示すように、壁面構造体（コンクリート等）１０に角度の調整された嵌め込型アングル材１２を木ネジやビス止めし、内装壁面（化粧板等）９で金具を隠すように配置します。また、家具背面に設けられた突起型アングル材１１を嵌め込型アングル材１２に係合するように取り付ける。次に、図３（２）、図４（１）に示すのは、図３（１）同様に取り付け設置を行います。なお、図３（２）、図４（１）では、金具の形状が多少異なります。図３（２）では、嵌め込型アングル材１７がシンプルな形状になり、図４（１）は、より強度を出すために、壁面構造体側と家具側の嵌め込型１８及び突起型１９アングル材を１段増やした金具を設置する。図４（２）のように、嵌め込部の下部２０ａを強化したものでも良い。また、図５（１）は、係止掛部材を縦板内に埋め込んだものであり、図５（２）は、補強のために縦板背面の全面に設置しても良い。図６（１）、（２）は、移動を容易にするために、係止掛部材２６、２９に可動式滑車２５を設けたものでも良い。
【００３５】
このような壁面構造体１０の係止嵌め込部及び家具側の係止掛部による係止手段を用いることにより、取り付け・取り外しを簡単に行うことができ、しかも組立て式収納金具などを使用すると、自由な収納スペースを構成でき、収納する物の変化に対応して収納スペースを簡単に確保することが可能となる。
【００３６】
また、家具の下部スペースを利用できると同時に、家具を移動しなくても簡単に掃除ができ、通気性が非常によくなり、衣類などの保存性も高まる。
【図面の簡単な説明】
【００３７】
【図１】「本発明による壁掛け収納家具システムの実施例を示す正面図である。」
【図２】「同壁掛け収納家具システムの実施例を示す傾視図である。」
【図３−１】「同壁掛け収納家具システムの２段式係止嵌め込部と１段式係止掛部の形状の詳細図である。」
【図３−２】「同壁掛け収納家具システムの１段式係止嵌め込部と１段式係止掛部の形状の詳細図である。」
【図４−１】「同壁掛け収納家具システムの３段式係止嵌め込部と２段式係止掛部の形状の詳細図である。」
【図４−２】「同壁掛け収納家具システムの３段式係止嵌め込部と２段式係止掛部の形状の詳細図である。」
【図５−１】「同壁掛け収納家具システムの係止掛部材を縦板内に埋め込んで設置した詳細図である。」
【図５−２】「同壁掛け収納家具システムの係止掛部材を縦板背面の全面に設置した詳細図である。」
【図６−１】「同壁掛け収納家具システムの可動式軽荷重滑車の係止嵌め込部と係止掛部の形状の詳細図である。」
【図６−２】「同壁掛け収納家具システムの可動式耐荷重滑車の係止嵌め込部と係止掛部の形状の詳細図である。」
【符号の説明】
【００３８】
１  収納家具
２  縦仕切板
３，４，５，６  収納区画
３ａ、４ａ、５ａ  ボックス収納部
４ｂ、５ｂ  引き出し収納部
７  パイプ
８  ハンガー掛けスペース
９  内装壁面
１０  壁面構造体
１１、１９、２３  係止掛部  
１１ａ、１２ａ、１７ａ、１８ａ、１９ａ、２３ａ  係合部
１２，１７，１８、２０  係止嵌め込部
１２ｂ  壁面固定部
１３  リブ金具
１４  ナット
１５  ボルト
１６  ガイドレール
２１  係止嵌め込部材補強部分
２２  壁内木材
２４  アンカーボルト
２５  滑車
２６、２９  滑車式係止掛部  
２７、３０  係止嵌め込部
【図１】
2005323635.tif 000003
【図２】
2005323635.tif 000004
【図３−１】
2005323635.tif 000005
【図３−２】
2005323635.tif 000006
【図４−１】
2005323635.tif 000007
【図４−２】
2005323635.tif 000008
【図５−１】
2005323635.tif 000009
【図５−２】
2005323635.tif 000010
【図６−１】
2005323635.tif 000011
【図６−２】
2005323635.tif 000012